(57)【特許請求の範囲】
【請求項１】
印刷装置と、画像読取装置と、情報処理端末とに通信可能に接続された、記憶部と制御部とを備えた証憑管理装置であって、
上記記憶部は、
帳票データと、当該帳票データに対応する固有識別情報および帳票番号を少なくとも含むキーワード情報と、を対応付けて記憶する帳票データ記憶手段
を備え、
上記制御部は、
上記キーワード情報を光学式に読取可能なコード画像情報に変換するコード画像情報変換手段と、
上記コード画像情報変換手段にて変換された上記コード画像情報を上記帳票データ上に表示した帳票画像情報を生成し、上記印刷装置を制御して当該帳票画像情報を印刷する帳票画像情報印刷手段と、
上記帳票画像情報印刷手段にて生成された上記帳票画像情報と、当該帳票画像情報の上記キーワード情報と、を対応付けた帳票画像情報ファイルを上記記憶部に格納する帳票画像情報ファイル格納手段と、
上記帳票画像情報印刷手段にて印刷された上記帳票画像情報と、当該帳票画像情報に対応する証憑とを含む一つまたは複数の書類セットに対して、上記画像読取装置を制御して連続的に当該書類セットの画像情報を読取る書類セット読取手段と、
上記書類セット読取手段にて読取られた上記書類セットの各書類の画像情報から上記コード画像情報を抽出し、抽出された当該コード画像情報に対応する上記キーワード情報を上記帳票画像情報ファイル内の上記キーワード情報と比較することにより、一致するかを判定し、比較結果が一致すると判定された場合に上記コード画像情報を識別するコード画像情報識別手段と、
上記コード画像情報識別手段にて識別された上記コード画像情報が上記固有識別情報を含む場合には、次の上記固有識別情報を含む上記コード画像情報を識別するまでを一つの上記書類セットとして認識し、当該コード画像情報中の上記帳票番号に基づいて、上記書類セットの画像情報を対応する上記帳票画像情報ファイルに格納する書類セット格納手段と、
上記情報処理端末からの要求に対応して、上記帳票画像情報ファイルに格納された、上記帳票画像情報、上記キーワード情報、上記書類セットの画像情報のうち少なくとも一部または全部を検索して、当該情報処理端末に送信する情報検索手段と、
を備えたことを特徴とする、証憑管理装置。
【請求項２】
請求項１に記載の証憑管理装置において、
上記制御部は、
上記書類セット格納手段にて格納された上記書類セットの画像情報中の上記帳票画像情報に対応する上記書類の画像情報中に、管理者の承認印が含まれているかを認証する承認印認証手段
を更に備えたことを特徴とする、証憑管理装置。
【請求項３】
請求項１に記載の証憑管理装置において、
上記制御部は、
上記書類セット格納手段にて上記書類セットの上記画像情報を上記帳票画像情報ファイルに格納後、当該帳票画像情報ファイルに上記証憑を取り込んだことを通知する証憑取込通知を上記情報処理端末に送信する証憑取込通知手段
を更に備えたことを特徴とする、証憑管理装置。
【請求項４】
印刷装置と、画像読取装置と、情報処理端末とに通信可能に接続された、記憶部と制御部とを備えた証憑管理装置において実行される証憑管理方法であって、
上記記憶部は、
帳票データと、当該帳票データに対応する固有識別情報および帳票番号を少なくとも含むキーワード情報と、を対応付けて記憶する帳票データ記憶手段
を備え、
上記制御部において実行される、
上記キーワード情報を光学式に読取可能なコード画像情報に変換するコード画像情報変換ステップと、
上記コード画像情報変換ステップにて変換された上記コード画像情報を上記帳票データ上に表示した帳票画像情報を生成し、上記印刷装置を制御して当該帳票画像情報を印刷する帳票画像情報印刷ステップと、
上記帳票画像情報印刷ステップにて生成された上記帳票画像情報と、当該帳票画像情報の上記キーワード情報と、を対応付けた帳票画像情報ファイルを上記記憶部に格納する帳票画像情報ファイル格納ステップと、
上記帳票画像情報印刷ステップにて印刷された上記帳票画像情報と、当該帳票画像情報に対応する証憑とを含む一つまたは複数の書類セットに対して、上記画像読取装置を制御して連続的に当該書類セットの画像情報を読取る書類セット読取ステップと、
上記書類セット読取ステップにて読取られた上記書類セットの各書類の画像情報から上記コード画像情報を抽出し、抽出された当該コード画像情報に対応する上記キーワード情報を上記帳票画像情報ファイル内の上記キーワード情報と比較することにより、一致するかを判定し、比較結果が一致すると判定された場合に上記コード画像情報を識別するコード画像情報識別ステップと、
上記コード画像情報識別ステップにて識別された上記コード画像情報が上記固有識別情報を含む場合には、次の上記固有識別情報を含む上記コード画像情報を識別するまでを一つの上記書類セットとして認識し、当該コード画像情報中の上記帳票番号に基づいて、上記書類セットの画像情報を対応する上記帳票画像情報ファイルに格納する書類セット格納ステップと、
上記情報処理端末からの要求に対応して、上記帳票画像情報ファイルに格納された、上記帳票画像情報、上記キーワード情報、上記書類セットの画像情報のうち少なくとも一部または全部を検索して、当該情報処理端末に送信する情報検索ステップと、
を含むことを特徴とする、証憑管理方法。
【請求項５】
請求項４に記載の証憑管理方法において、
上記制御部において実行される、
上記書類セット格納ステップにて格納された上記書類セットの画像情報中の上記帳票画像情報に対応する上記書類の画像情報中に、管理者の承認印が含まれているかを認証する承認印認証ステップ
を更に含むことを特徴とする、証憑管理方法。
【請求項６】
請求項４に記載の証憑管理方法において、
上記制御部において実行される、
上記書類セット格納ステップにて上記書類セットの上記画像情報を上記帳票画像情報ファイルに格納後、当該帳票画像情報ファイルに上記証憑を取り込んだことを通知する証憑取込通知を上記情報処理端末に送信する証憑取込通知ステップ
を更に含むことを特徴とする、証憑管理方法。
【発明の詳細な説明】
【技術分野】
【０００１】
本発明は、証憑管理装置および証憑管理方法に関する。
【背景技術】
【０００２】
従来から、紙文書と電子文書と統合管理する技術が報告されている。
【０００３】
例えば、特許文献１に記載の技術は、文書回覧シートの電子文書関連づけマークを塗り潰すことにより、ＰＣから入力した電子文書と紙文書（読取り文書）とを関連付けて１つの文書として回覧可能としている。
【０００４】
また、特許文献２に記載の技術は、電子文書にＩＤ番号を付加し、文書登録、検索時にＩＤ番号を入力することで対応文書の参照を行っている。
【０００５】
また、特許文献３に記載の技術は、付加情報等を符号化したコード画像と電子文書の文書画像との合成画像を読み取ることにより、付加情報に基づいて電子文書に対する処理を決定している。
【０００６】
【特許文献１】特開平８−３３９３３号公報
【特許文献２】特開２０００−３３９２９８号公報
【特許文献３】特開２００６−３４４１７９号公報
【発明の開示】
【発明が解決しようとする課題】
【０００７】
しかしながら、従来技術（特許文献１〜特許文献３等）においては、データ登録や検索時にキーワードを入力する必要があるため、キーワードの誤入力を生じやすく、また、キーワードに基づいてデータ間の関連付けを自動で行えないため、データ管理における簡易性や正確性や効率性において問題点を有していた。
【０００８】
また、従来技術においては、読込み文書に意図しないコード画像が含まれている場合、分類等の為に意図して付与したキーワードに対応するコード画像であるかを確認できず、意図しないコード画像を分類のためのキーワードとして誤認識してしまう可能性があるという問題点を有していた。
【０００９】
また、従来技術においては、読込み文書に押印された承認印等の有無を確認できず、その文書が認証済みであるかを正確に判定できないという問題点を有していた。
【００１０】
本発明は、上記に鑑みてなされたもので、データ登録や検索時において、キーワードの誤入力を防止し、キーワードに基づいてデータ間の関連付けを自動化し、簡易に高精度で効率的にデータを一元管理でき、また、意図して付与したコード画像を正確に識別でき、また、認証済みのデータであるかを正確に判定することができる証憑管理装置および証憑管理方法を提供することを目的とする。
【課題を解決するための手段】
【００１１】
このような目的を達成するため、本発明の証憑管理装置は、印刷装置と、画像読取装置と、情報処理端末とに通信可能に接続された、記憶部と制御部とを備えた証憑管理装置であって、上記記憶部は、帳票データと、当該帳票データに対応する固有識別情報および帳票番号を少なくとも含むキーワード情報と、を対応付けて記憶する帳票データ記憶手段を備え、上記制御部は、上記キーワード情報を光学式に読取可能なコード画像情報に変換するコード画像情報変換手段と、上記コード画像情報変換手段にて変換された上記コード画像情報を上記帳票データ上に表示した帳票画像情報を生成し、上記印刷装置を制御して当該帳票画像情報を印刷する帳票画像情報印刷手段と、上記帳票画像情報印刷手段にて生成された上記帳票画像情報と、当該帳票画像情報の上記キーワード情報と、を対応付けた帳票画像情報ファイルを上記記憶部に格納する帳票画像情報ファイル格納手段と、上記帳票画像情報印刷手段にて印刷された上記帳票画像情報と、当該帳票画像情報に対応する証憑とを含む一つまたは複数の書類セットに対して、上記画像読取装置を制御して連続的に当該書類セットの画像情報を読取る書類セット読取手段と、上記書類セット読取手段にて読取られた上記書類セットの各書類の画像情報から上記コード画像情報を抽出し、抽出された当該コード画像情報に対応する上記キーワード情報を上記帳票画像情報ファイル内の上記キーワード情報と比較することにより、一致するかを判定し、比較結果が一致すると判定された場合に上記コード画像情報を識別するコード画像情報識別手段と、上記コード画像情報識別手段にて識別された上記コード画像情報が上記固有識別情報を含む場合には、次の上記固有識別情報を含む上記コード画像情報を識別するまでを一つの上記書類セットとして認識し、当該コード画像情報中の上記帳票番号に基づいて、上記書類セットの画像情報を対応する上記帳票画像情報ファイルに格納する書類セット格納手段と、上記情報処理端末からの要求に対応して、上記帳票画像情報ファイルに格納された、上記帳票画像情報、上記キーワード情報、上記書類セットの画像情報のうち少なくとも一部または全部を検索して、当該情報処理端末に送信する情報検索手段と、を備えたことを特徴とする。
【００１２】
また、本発明の証憑管理装置は、上記記載の証憑管理装置において、上記制御部は、上記書類セット格納手段にて格納された上記書類セットの画像情報中の上記帳票画像情報に対応する上記書類の画像情報中に、管理者の承認印が含まれているかを認証する承認印認証手段を更に備えたことを特徴とする。
【００１３】
また、本発明の証憑管理装置は、上記記載の証憑管理装置において、上記制御部は、上記書類セット格納手段にて上記書類セットの上記画像情報を上記帳票画像情報ファイルに格納後、当該帳票画像情報ファイルに上記証憑を取り込んだことを通知する証憑取込通知を上記情報処理端末に送信する証憑取込通知手段を更に備えたことを特徴とする。
【００１４】
また、本発明の証憑管理方法は、印刷装置と、画像読取装置と、情報処理端末とに通信可能に接続された、記憶部と制御部とを備えた証憑管理装置において実行される証憑管理方法であって、上記記憶部は、帳票データと、当該帳票データに対応する固有識別情報および帳票番号を少なくとも含むキーワード情報と、を対応付けて記憶する帳票データ記憶手段を備え、上記制御部において実行される、上記キーワード情報を光学式に読取可能なコード画像情報に変換するコード画像情報変換ステップと、上記コード画像情報変換ステップにて変換された上記コード画像情報を上記帳票データ上に表示した帳票画像情報を生成し、上記印刷装置を制御して当該帳票画像情報を印刷する帳票画像情報印刷ステップと、上記帳票画像情報印刷ステップにて生成された上記帳票画像情報と、当該帳票画像情報の上記キーワード情報と、を対応付けた帳票画像情報ファイルを上記記憶部に格納する帳票画像情報ファイル格納ステップと、上記帳票画像情報印刷ステップにて印刷された上記帳票画像情報と、当該帳票画像情報に対応する証憑とを含む一つまたは複数の書類セットに対して、上記画像読取装置を制御して連続的に当該書類セットの画像情報を読取る書類セット読取ステップと、上記書類セット読取ステップにて読取られた上記書類セットの各書類の画像情報から上記コード画像情報を抽出し、抽出された当該コード画像情報に対応する上記キーワード情報を上記帳票画像情報ファイル内の上記キーワード情報と比較することにより、一致するかを判定し、比較結果が一致すると判定された場合に上記コード画像情報を識別するコード画像情報識別ステップと、上記コード画像情報識別ステップにて識別された上記コード画像情報が上記固有識別情報を含む場合には、次の上記固有識別情報を含む上記コード画像情報を識別するまでを一つの上記書類セットとして認識し、当該コード画像情報中の上記帳票番号に基づいて、上記書類セットの画像情報を対応する上記帳票画像情報ファイルに格納する書類セット格納ステップと、上記情報処理端末からの要求に対応して、上記帳票画像情報ファイルに格納された、上記帳票画像情報、上記キーワード情報、上記書類セットの画像情報のうち少なくとも一部または全部を検索して、当該情報処理端末に送信する情報検索ステップと、を含むことを特徴とする。
【００１５】
また、本発明の証憑管理方法は、上記記載の証憑管理方法において、上記制御部において実行される、上記書類セット格納ステップにて格納された上記書類セットの画像情報中の上記帳票画像情報に対応する上記書類の画像情報中に、管理者の承認印が含まれているかを認証する承認印認証ステップを更に含むことを特徴とする。
【００１６】
また、本発明の証憑管理方法は、上記記載の証憑管理方法において、上記制御部において実行される、上記書類セット格納ステップにて上記書類セットの上記画像情報を上記帳票画像情報ファイルに格納後、当該帳票画像情報ファイルに上記証憑を取り込んだことを通知する証憑取込通知を上記情報処理端末に送信する証憑取込通知ステップを更に含むことを特徴とする。
【発明の効果】
【００１７】
この発明によれば、帳票データと、当該帳票データに対応する固有識別情報および帳票番号を少なくとも含むキーワード情報と、を対応付けて記憶部に記憶し、キーワード情報を光学式に読取可能なコード画像情報に変換し、変換されたコード画像情報を帳票データ上に表示した帳票画像情報を生成し、印刷装置を制御して当該帳票画像情報を印刷し、生成された帳票画像情報と、当該帳票画像情報のキーワード情報と、を対応付けた帳票画像情報ファイルを記憶部に格納し、印刷された帳票画像情報と、当該帳票画像情報に対応する証憑とを含む一つまたは複数の書類セットに対して、画像読取装置を制御して連続的に当該書類セットの画像情報を読取り、読取られた書類セットの各書類の画像情報からコード画像情報を識別し、識別されたコード画像情報が固有識別情報を含む場合には、次の固有識別情報を含むコード画像情報を識別するまでを一つの書類セットとして認識し、当該コード画像情報中の帳票番号に基づいて、書類セットの画像情報を対応する帳票画像情報ファイルに格納し、情報処理端末からの要求に対応して、帳票画像情報ファイルに格納された、帳票画像情報、キーワード情報、書類セットの画像情報のうち少なくとも一部または全部を検索して、当該情報処理端末に送信するので、データ登録や検索時において、キーワードの誤入力を防止でき、キーワードに基づいてデータ間の関連付けを自動化でき、高精度かつ効率的にデータを一元管理できるという効果を奏する。また、本発明は、読込み文書に意図しないコード画像が含まれている場合であっても、分類等の為に意図して付与したキーワードに対応するコード画像であるかを正確に識別できるという効果を奏する。
【００１８】
また、この発明によれば、格納された書類セットの画像情報中の帳票画像情報に対応する書類の画像情報中に、管理者の承認印が含まれているかを認証するので、認証済みのデータであるかを正確に判定することができるという効果を奏する。
【００１９】
また、この発明によれば、書類セットの画像情報を帳票画像情報ファイルに格納後、当該帳票画像情報ファイルに証憑を取り込んだことを通知する証憑取込通知を情報処理端末に送信するので、利用者は帳票データファイルと帳票画像情報ファイルとのデータが連携されたことを知ることができ、これにより、情報処理端末から、帳票データファイルのデータにリンクされた帳票画像情報ファイルのデータを検索することができるという効果を奏する。
【発明を実施するための最良の形態】
【００２０】
以下に、本発明にかかる証憑管理装置および証憑管理方法並びにプログラムの実施の形態を図面に基づいて詳細に説明する。なお、この実施の形態によりこの発明が限定されるものではない。
【００２１】
特に以下の実施の形態においては、本発明を会計伝票の証憑管理に適用した例について説明するが、この場合に限られず、その他の業務フローにおいても同様に適用することができる。
【００２２】
［本発明の概要］
以下、本発明の概要について図１を参照して説明し、その後、本発明の構成および処理等について詳細に説明する。図１は、本発明の基本原理の一例を示す図である。
【００２３】
まず、本発明の基本原理の一例について、図１を参照して以下に説明する。
【００２４】
図１に示すように、本発明は、概略的に、以下の基本的特徴を有する。本発明の証憑管理装置は、印刷装置２０−１（例えば、プリンタ、ネットワークプリンタ等）と、画像読取装置２０−２（例えば、スキャナ、ネットワークスキャナ等）と、情報処理端末１０とに通信可能に接続された、記憶部と制御部とを備えて構成されている。
【００２５】
図１に示すように、証憑管理装置の制御部は、帳票データファイル１０６ａから帳票画像情報印刷部１０２ｂにより印刷装置２０−１から帳票を印刷すると同時に、帳票画像情報とキーワード情報を出力する。なお、印刷した帳票には、コード画像情報が印字されており、このコード画像情報は、画像読取装置２０−２にてＯＣＲ時に帳票の振分先等を自動的に判定するために用いられる。そして、証憑管理装置の制御部は、帳票画像情報およびキーワード情報を含む帳票画像情報ファイルを帳票画像情報ファイル１０６ｂに取込んで管理する。そして、利用者は、帳票と帳票に記載された案件を証明する証憑とを書類セットとしてまとめる。そして、第三者（管理者等）は、この書類セットの内容を確認して承認印等を押印する。そして、証憑管理装置の制御部は、利用者がセットした書類セットを、画像読取装置２０−２を制御して読み込む。そして、証憑管理装置の制御部は、読み込まれた帳票と証憑を含む書類セットの各書類の画像情報からコード画像情報を読み取る。そして、証憑管理装置の制御部は、読取ったコード画像情報に基づいて、帳票と証憑を含む書類セットを、帳票を印刷すると同時に帳票画像情報ファイル１０６ｂへ既に取り込んだ帳票画像情報ファイルと紐付けする。そして、証憑管理装置の制御部は、帳票データファイル１０６ａへ証憑取り込みを通知することにより、帳票画像情報ファイル１０６ｂに記憶された、承認済み帳票と証憑とを含む書類セットと紐付けられた帳票画像情報ファイルと、帳票データファイル１０６ａに記憶された帳票データとをリンクさせる。また、証憑管理装置の制御部は、情報処理端末１０からの要求に対応して、帳票画像情報ファイル１０６ｂに格納された帳票の画像に基づいて承認印の認証を行ってもよい。
【００２６】
ここで、「証憑」とは、取引の事実を証明する根拠となる書類を意味しており、例えば、納品書、請求書、領収証、受払伝票、預金通帳、小切手帳等である。
【００２７】
このように、本発明の証憑管理装置、キーワード情報に対応するコード画像情報に基づいて、帳票データファイル１０６ａと帳票画像情報ファイル１０６ｂとのデータ連携を実現することができるので、利用者は情報処理端末１０から帳票データにリンクされた証憑等を簡易に検索することができる。また、本発明の証憑管理装置は、証憑登録を簡単に正確に短時間で行えるので、会計監査時の会計帳票探索を削減でき、原簿（帳票や証憑等）の管理を簡略化できる。また、本発明の証憑管理装置は、画像読取装置２０−２にネットワークスキャナ等を利用した場合、遠隔地からも証憑登録を簡単に行うことができ、また、複数拠点からの登録処理を実現でき、データを１箇所に集約することができる。また、本発明の証憑管理装置は、押印またはサイン等による責任者等の管理者特定およびチェックの有無を確認することができ、不正行為を防止できる。
【００２８】
以上で、本発明の概要の説明を終える。
【００２９】
［証憑管理装置１００の構成］
次に、本証憑管理装置１００の構成について図２〜図４を参照して説明する。ここで、図２は、本発明が適用される本証憑管理装置１００の構成の一例を示すブロック図であり、該構成のうち本発明に関係する部分のみを概念的に示している。また、図３は、キーワード情報のデータ構成の一例を示す図である。また、図４は、コード画像情報の識別の一例を示す図である。
【００３０】
図２に示すように、本証憑管理装置１００は、概略的に、印刷装置２０−１と、画像読取装置２０−２と、情報処理端末１０−１〜３とに、通信制御インターフェース部１０４を介してネットワーク３００を通じて通信可能に接続された、記憶部１０６と制御部１０２とを備えて構成される。これら証憑管理装置１００の各部は任意の通信路を介して通信可能に接続されている。
【００３１】
図２において、情報処理端末１０−１〜３は、証憑管理装置１００にアクセスし情報検索等を行う機能を有し、例えば、一般に市販されるデスクトップ型またはノート型のパーソナルコンピュータ等の情報処理装置や、携帯電話等の携帯端末装置などである。
【００３２】
また、図２において、印刷装置２０−１は、プリンタ機能を有する印刷手段であり、例えば、プリンタやネットワークプリンタ等である。本実施形態において、印刷装置２０−１は、制御部１０２にて生成された帳票を印刷する。また、画像読取装置２０−２は、スキャナ機能をする画像読取手段であり、例えば、スキャナやネットワークスキャナ等である。本実施形態において、画像読取装置２０−２は、印刷された帳票と証憑を含む書類セットを読み取る。なお、図示しないが、印刷装置２０−１と画像読取装置２０−２は、少なくともプリンタ機能およびスキャナ機能を有する複合機として構成してもよい。
【００３３】
また、図２において、通信制御インターフェース部１０４は、通信制御インターフェース部１０４は、通信回線等に接続されるルータ等の通信装置（図示せず）に接続されるインターフェースであり、証憑管理装置１００とネットワーク３００との間における通信制御を行う機能を有する。すなわち、通信制御インターフェース部１０４は、情報処理端末１０−１〜３、印刷装置２０−１、画像読取装置２０−２等の外部機器と通信回線を介してデータを通信する機能を有している。また、ネットワーク３００は、証憑管理装置１００と情報処理端末１０−１〜３、印刷装置２０−１、画像読取装置２０−２等の外部機器とを相互に接続する機能を有し、例えば、インターネット、電話回線網（携帯端末回線網、一般電話回線網を含む。）、イントラネット等であってもよい。
【００３４】
また、図２において、記憶部１０６は、固定ディスク装置等のストレージ手段であり、各種のデータベースやテーブル（帳票データファイル１０６ａおよび帳票画像情報ファイル１０６ｂ等）を格納する。例えば、記憶部１０６は、各種処理に用いる各種のプログラムやテーブルやファイルやデータベースや、帳票を作成するのに必要な帳票データや、帳票や証憑等を対応付けるのに必要なキーワード情報（例えば、固有識別情報、帳票番号等）などを格納する。
【００３５】
これら記憶部１０６の各構成要素のうち、帳票データファイル１０６ａは、予め利用者により情報処理端末１０−１〜３から予め入力部（図示せず）を介して入力されたかまたは画像読取装置２０−２にて読み取られて証憑管理装置１００へ送信された、帳票データと、予め利用者により入力部を介して選択された、当該帳票データに対応する固有識別情報および帳票番号を少なくとも含むキーワード情報と、を対応付けて記憶する帳票データ記憶手段である。
【００３６】
ここで、図３を参照し、キーワード情報のデータ構成の一例について以下に説明する。
【００３７】
図３に示すように、帳票データファイル１０６ａに格納されるキーワード情報は、当該帳票データに対応する「固有識別情報（例えば、固有ＩＤ、会社識別コード、帳票日付、職制ＩＤ等）や、帳票番号、システム区分、チェックデジット」などを含む。図３において、一例として、「固有ＩＤ」は、バーコードやＱＲコード等を識別するための固有ＩＤ（例えば、○○社）を意味する。また、「会社識別コード」は、会社の管理コードを意味する。また、「帳票日付」は、帳票を計上した日付を意味する。また、「職制ＩＤ」は、計上対象の職制ＩＤを意味する。また、「帳票番号」は、帳票を一意に特定する番号を意味する。また、「システム区分」は、本システムの識別子を意味する。また、「チェックデジット」は、読取ったデータが正しいかチェックするためのものであり、通常、データの最後にデータを一定の式で計算した値を付加して、読取り時にも同じように計算することでチェックを行う。なお、図３において、コード画像情報（例えば、バーコードやＱＲコード等）は英数字とし、サイドにチェックデジットを一桁追加するものとする。
【００３８】
本実施の形態において、キーワード情報は、制御部１０２によりコード画像情報に変換され、この変換されたコード画像情報に基づいて、帳票データファイル１０６ａと帳票画像情報ファイル１０６ｂとのデータ連携を実現するために用いられる。図３において、キーワード情報は、固有識別情報（例えば、固有ＩＤや会社識別コードや職制ＩＤ等）を複合して正規データであるかを判別するために用いられる。また、キーワード情報は、例えば、固有識別情報の帳票日付と帳票番号等を複合キーとしてデータを連携するために用いられる。なお、正規データ判別の詳細については、コード画像情報識別部１０２ｅの説明にて図４を参照し後述する。
【００３９】
図２に戻り、帳票画像情報ファイル１０６ｂは、制御部１０２にて生成された帳票画像情報と、当該帳票画像情報のキーワード情報と、を対応付けた帳票画像情報ファイルを記憶する帳票画像情報ファイル記憶手段である。また、帳票画像情報ファイル１０６ｂは、制御部１０２にて識別されたコード画像情報が固有識別情報を含む場合には、次の固有識別情報を含むコード画像情報を識別するまでを一つの書類セットとして認識し、当該コード画像情報中の帳票番号に基づいて、制御部１０２にて印刷された帳票画像情報と、当該帳票画像情報に対応する証憑とを含む一つまたは複数の書類セットの画像情報を対応する帳票画像情報ファイルに記憶する書類セット記憶手段である。すなわち、帳票画像情報ファイル１０６ｂは、キーワード情報（コード画像情報に対応）に基づいて、帳票画像情報、キーワード情報、書類セットをと関連付けて記憶する。
【００４０】
また、図２において、制御部１０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、コード画像情報変換部１０２ａ、帳票画像情報印刷部１０２ｂ、帳票画像情報ファイル格納部１０２ｃ、書類セット読取部１０２ｄ、コード画像情報識別部１０２ｅ、書類セット格納部１０２ｆ、情報検索部１０２ｇ、承認印認証部１０２ｈ、および、証憑取込通知部１０２ｉを備えて構成されている。
【００４１】
このうち、コード画像情報変換部１０２ａは、キーワード情報を光学式に読取可能なコード画像情報に変換するコード画像情報変換手段である。
【００４２】
また、帳票画像情報印刷部１０２ｂは、コード画像情報変換部１０２ａにて変換されたコード画像情報を帳票データ上に表示した帳票画像情報を生成し、印刷装置２０−１を制御して当該帳票画像情報を印刷する帳票画像情報印刷手段である。
【００４３】
また、帳票画像情報ファイル格納部１０２ｃは、帳票画像情報印刷部１０２ｂにて生成された帳票画像情報と、当該帳票画像情報のキーワード情報と、を対応付けた帳票画像情報ファイルを帳票画像情報ファイル１０６ｂに格納する帳票画像情報ファイル格納手段である。
【００４４】
また、書類セット読取部１０２ｄは、帳票画像情報印刷部１０２ｂにて印刷された帳票画像情報と、当該帳票画像情報に対応する証憑とを含む一つまたは複数の書類セットに対して、画像読取装置２０−２を制御して連続的に当該書類セットの画像情報を読取る書類セット読取手段である。
【００４５】
また、コード画像情報識別部１０２ｅは、書類セット読取部１０２ｄにて読取られた書類セットの各書類の画像情報からコード画像情報を識別するコード画像情報識別手段である。
【００４６】
ここで、図４を参照して、コード画像情報の識別の一例について以下に説明する。
【００４７】
図４に示すように、画像読取装置２０−２にて読取られた書類セットには、意図しないコード画像情報が含まれている場合がある。すなわち、書類セットと帳票画像情報ファイル１０６ｂに格納された帳票画像情報ファイルとを対応付けて格納するために意図して帳票上に表示したコード画像情報（図４において、帳票１，４上に表示されたコード画像情報）とは別に、意図しないコード画像情報（図４において、証憑２，３，５上に表示されたコード画像情報）が含まれている場合がある。従来は、キーワードに対応するコード画像であるか確認できず、意図しないコード画像情報をキーワードとして誤認識してしまう可能性があったが、本証憑管理装置１００のコード画像情報識別部１０２ｅは、意図して付与したコード画像情報を正確に識別する。
【００４８】
すなわち、図４に示すように、コード画像情報識別部１０２ｅは、書類セット（図４において、書類セット（１），（２））の各書類の画像情報からコード画像情報を抽出し、抽出されたコード画像情報に対応するキーワード情報を帳票画像情報ファイル内のキーワード情報と比較することにより、コード画像情報を識別する。一致する場合は、コード画像情報識別部１０２ｅにより識別されたコード画像情報に対応するキーワード情報が、帳票画像情報印刷１０２ｂにより帳票画像情報を印刷すると同時に帳票画像情報ファイル格納部１０２ｃにより帳票画像情報ファイル１０６ｂに格納されたキーワード情報と一致すると判定されたことを意味するので、コード画像情報識別部１０２ｅは、意図して付加された正規のコード画像情報であると判定する。具体的には、コード画像情報識別部１０２ｅは、画像読取装置２０−２にて読み取られた書類セットのコード画像情報に対応するキーワード情報の固有識別情報（図３における「固有ＩＤ」や「帳票日付」等）が、既に帳票画像情報ファイル１０６ｂに記憶されたキーワード情報の固有識別情報（図３における「固有ＩＤ」や「帳票日付」等）と一致するかを判定し、意図した正規なデータ（帳票）であるか、意図しないデータ（証憑等）であるかを見分けている。これにより、連続読取の際にも正確に書類セットを分類することができ、次の固有識別情報を含むコード画像情報を識別するまでを一つの書類セットとして認識することができる。
【００４９】
図２に戻り、書類セット格納部１０２ｆは、コード画像情報識別部１０２ｅにて識別されたコード画像情報が固有識別情報を含む場合には、次の固有識別情報を含むコード画像情報を識別するまでを一つの書類セットとして認識し、当該コード画像情報中の帳票番号に基づいて、書類セットの画像情報を対応する帳票画像情報ファイル１０６ｂに格納する書類セット格納手段である。
【００５０】
また、情報検索部１０２ｇは、情報処理端末１０−１〜３からの要求に対応して、帳票画像情報ファイル１０６ｂに格納された、帳票画像情報、キーワード情報、書類セットの画像情報のうち少なくとも一部または全部を検索して、当該情報処理端末１０−１〜３に送信する情報検索手段である。
【００５１】
また、承認印認証部１０２ｈは、書類セット格納部１０２ｆにて格納された書類セットの画像情報中の帳票画像情報に対応する書類の画像情報中に、管理者の承認印が含まれているかを認証する承認印認証手段である。
【００５２】
また、証憑取込通知部１０２ｉは、書類セット格納部１０２ｆにて書類セットの画像情報を帳票画像情報ファイル１０６ｂに格納後、当該帳票画像情報ファイル１０６ｂに証憑を取り込んだことを通知する証憑取込通知を情報処理端末１０−１〜３に送信する証憑取込通知手段である。
【００５３】
以上で、本証憑管理装置１００の構成の説明を終える。
【００５４】
［証憑管理装置１００の処理］
次に、このように構成された本実施の形態における本証憑管理装置１００の処理の一例について、以下に図５〜図７を参照して詳細に説明する。ここで、図５は、本実施の形態におけるデータ連携処理の一例を示すフローチャートである。また、図６は、本実施の形態における情報検索処理の一例を示すフローチャートである。また、図７は、本実施の形態における承認印認証処理の一例を示すフローチャートである。
【００５５】
［データ連携処理］
まず、実施の形態におけるデータ連携処理の一例について、図５を参照して以下に説明する。
【００５６】
図５に示すように、証憑管理装置１００の制御部１０２は、記憶部１０６に記憶された帳票データに基づいて、キーワードとイメージデータを出力し（ステップＳＡ−１）、同時に、キーワードとして識別番号となる固有ＩＤや帳票番号等をバーコードやＱＲコード等として付与した帳票を印刷する（ステップＳＡ−２）。
【００５７】
すなわち、コード画像情報変換部１０２ａは、帳票データファイル１０６ａに記憶された、帳票データに対応する固有識別情報（例えば、固有ＩＤや帳票日付等）および帳票番号を少なくとも含むキーワード情報を光学式に読取可能なコード画像情報（例えば、バーコードやＱＲコード等）に変換する。そして、帳票画像情報印刷部１０２ｂは、コード画像情報変換部１０２ａの処理により変換されたコード画像情報（キーワード情報に対応）を帳票データ上に表示した帳票画像情報（ＰＤＦファイル等のイメージデータ）を生成し、印刷装置２０−１を制御して当該帳票画像情報（帳票）を印刷する。
【００５８】
そして、証憑管理装置１００の制御部１０２は、出力したキーワードおよびイメージデータを画像管理ソフトである帳票画像情報ファイル１０６ｂに取り込む（ステップＳＡ−３）。
【００５９】
すなわち、帳票画像情報ファイル格納部１０２ｃは、帳票画像情報印刷部１０２ｂの処理により生成された帳票画像情報（ＰＤＦファイル等のイメージデータ）と、当該帳票画像情報のキーワード情報と、を対応付けた帳票画像情報ファイルを帳票画像情報ファイル１０６ｂに格納する。
【００６０】
そして、利用者は、帳票に印刷された証憑を集め（ステップＳＡ−４）、全ての証憑が集められたことを確認して承認印等を押印する（ステップＳＡ−５）。
【００６１】
そして、証憑管理装置１００の制御部１０２は、帳票を一番上にし、集められた証憑をまとめた書類セットを画像読取装置２０−２にてスキャンする（ステップＳＡ−６）。
【００６２】
すなわち、書類セット読取部１０２ｄは、帳票画像情報印刷部１０２ｂの処理により印刷された帳票画像情報（帳票）と、当該帳票画像情報（帳票）に対応する証憑とを含む一つまたは複数の書類セットに対して、画像読取装置２０−２を制御して連続的に当該書類セットの画像情報を読取る。
【００６３】
そして、証憑管理装置１００の制御部１０２は、スキャンしたバーコードやＱＲコード等を認識し、キーワードを抽出する（ステップＳＡ−７）。
【００６４】
すなわち、コード画像情報識別部１０２ｅは、書類セット読取部１０２ｄの処理により読取られた書類セットの各書類の画像情報からコード画像情報（キーワード情報に対応）を識別する。
【００６５】
そして、証憑管理装置１００の制御部１０２は、帳票画像情報ファイル１０６ｂを参照して、抽出したキーワードと帳票画像情報ファイルとを比較することにより、一致するかを判定する（ステップＳＡ−８）。
【００６６】
すなわち、コード画像情報識別部１０２ｅは、帳票画像情報ファイル１０６ｂに記憶されたキーワード情報を参照し、コード画像情報識別部１０２ｅの処理により識別されたコード画像情報（例えば、バーコードやＱＲコード等）が固有識別情報（例えば、固有ＩＤや帳票日付等）を含むか否かを判定する。
【００６７】
そして、証憑管理装置１００の制御部１０２は、比較結果が一致すると判定された場合（ステップＳＡ−８：Ｙｅｓ）、スキャンした書類セットの画像と帳票画像情報ファイル１０６ｂのデータとをリンクして格納する（ステップＳＡ−９）。一方、証憑管理装置１００の制御部１０２は、比較結果が一致しないと判定された場合（ステップＳＡ−８：Ｎｏ）、そのまま処理を終了する。
【００６８】
すなわち、書類セット格納部１０２ｆは、コード画像情報識別部１０２ｅの処理により識別されたコード画像情報（例えば、バーコードやＱＲコード等）が固有識別情報（例えば、固有ＩＤや帳票日付等）を含む場合には、当該コード画像情報中の帳票番号に基づいて、書類セットの画像情報（スキャンした書類セットの画像）を対応する帳票画像情報ファイル１０６ｂに格納する。一方、書類セット格納部１０２ｆは、コード画像情報識別部１０２ｅの処理により比較結果が一致しないと判定された場合、そのまま処理を終了する。これにより、帳票データファイル１０６ａと帳票画像情報ファイル１０６ｂのデータを連携することができる。
【００６９】
［情報検索処理］
続いて、本実施の形態における情報検索処理の一例について、図６を参照し以下に説明する。
【００７０】
図６に示すように、情報処理装置１０−１〜３および証憑管理装置１００の帳票データファイル１０６ａは、証憑管理装置１００から帳票画像情報ファイル１０６ｂに帳票と証憑とを含む書類セットの画像をキーワード情報に関連付けて取り込んだことを知らせる証憑取込通知を受信する（ステップＳＢ−１）。そして、証憑管理装置１００の制御部１０２は、利用者により選択され情報処理端末１０−１〜３から受信した検索要求に従って（ステップＳＢ−２）、帳票画像情報ファイルを検索し、検索結果を情報処理端末に送信して表示させる（ステップＳＢ−３）。
【００７１】
すなわち、証憑取込通知部１０２ｉは、書類セット格納部１０２ｆにて書類セットの画像情報を帳票画像情報ファイル１０６ｂに格納後、当該帳票画像情報ファイル１０６ｂに証憑を取り込んだことを通知する証憑取込通知を情報処理端末１０−１〜３に送信する。そして、情報検索部１０２ｇは、情報処理端末１０−１〜３からの要求に対応して、帳票画像情報ファイル１０６ｂに格納された、帳票画像情報、キーワード情報、書類セットの画像情報のうち少なくとも一部または全部を検索して、当該情報処理端末１０−１〜３に送信する。
【００７２】
具体的には、一例として、利用者は、情報処理端末１０−１〜３の表示部上に表示された帳票データ上の帳票日付や帳票番号等を、マウス等の入力部を介してクリックすることにより、帳票日付や帳票番号等を検索キーとして、証憑管理装置１００へ送信する。そして、証憑管理装置１００の情報検索部１０２ｇは、帳票画像情報ファイル１０６ｂから、受信した検索キー（帳票日付や帳票番号等）に一致するキーワード情報を検索し、一致するキーワード情報に対応付けて格納された、帳票画像情報や、帳票と証憑とを含む書類セットの画像情報を検索結果として、情報処理端末１０−１〜３に送信し、情報処理端末１０−１〜３の表示部（図示せず）に表示させる。これにより、利用者は、利用者は情報処理端末１０−１〜３から帳票データにリンクされた証憑等を簡易に検索することができる。
【００７３】
［承認印認証処理］
続いて、本実施の形態における承認印認証処理の一例について、図７を参照して以下に説明する。
【００７４】
図７に示すように、証憑管理装置１００の制御部１０２は、帳票画像情報ファイル１０６ｂから書類セットの帳票に対応する画像情報（画像読取装置２０−２にて読み取った画像情報）を呼び出し（ステップＳＣ−１）、呼び出した画像情報と、この画像に関連付けられた帳票画像情報（帳票画像情報印刷部１０２ｂにて生成された帳票画像情報）とを比較することにより承認印の画像を抽出することにより、承認印の有無を確認する（ステップＳＣ−２）。
【００７５】
すなわち、承認印認証部１０２ｈは、書類セット格納部１０２ｆにて格納された書類セットの画像情報中の帳票画像情報に対応する書類の画像情報中に、管理者の承認印が含まれているかを認証する。ここで、証憑管理装置１００の記憶部１０６は、予め登録された承認印の画像情報を記憶していてもよく、承認印認証部１０２ｈは、予め登録された承認印の画像情報と、抽出した承認印の画像情報とを比較することにより、正規の承認印であるかを判定してもよい。
【００７６】
なお、本実施形態において、承認印の認証は、承認印認証部１０２ｈが自動で行う一例について説明したが、上述の情報検索処理において、利用者が検索結果として受信した書類セットの画像情報中の帳票画像情報に対応する書類の画像情報を、目視にて確認することにより、承認印の認証を行ってもよい。
【００７７】
以上で、本証憑管理装置１００の処理の説明を終える。
【００７８】
［実施例］
続いて、本認証管理装置１００を適用した実施例について以下に説明する。ここで、図８は、本発明の実施例の一例を示す図である。
【００７９】
図８に示すように、本認証管理装置１００を適用して、紙の電子化により業務プロセスの改善を図った場合、経営者は、業務に関するデータが電子化され一元管理されているので、全体を把握して意思決定をすることができる。また、監査部門は、業務プロセスを監視することができる。例えば、営業担当者は、遠隔地であっても、ネットワークスキャナ等を用いることにより、場所を選ばずに書類（例えば、お客様書類、注文書、検収書、手配依頼書等）を電子化し、簡単に書類の画像データを事務センターへ送付することができる。これにより、事務所センター側が電子記録を参照することができるので、営業担当者の不正を防止することができる。そして、事務センターの担当者は、営業担当者より送付された書類の画像データを見ながら、業務管理アプリケーションであるＥＲＰシステムに必要なデータを入力することができるので、業務の集約化を図ることができ、効率があがる。そして、経理（振替業務）担当者は、事務センターの担当者により入力されたデータをＥＲＰシステムから確認することができるので、上述したように、経理担当者に集められた証憑の記録等をＥＲＰシステムに関連付けることができる。これにより、証憑管理を簡単かつ正確に短時間で行うことできる。
【００８０】
［他の実施の形態］
さて、これまで本発明の実施の形態について説明したが、本発明は、上述した実施の形態以外にも、特許請求の範囲に記載した技術的思想の範囲内において種々の異なる実施の形態にて実施されてよいものである。
【００８１】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００８２】
例えば、本実施形態において、証憑管理装置１００は、単一のサーバ装置として構成する一例について説明したが、複数のサーバ装置を連動して構成してもよい。具体的には、証憑管理装置１００は、印刷装置２０−１に接続され、帳票データファイル１０６ａを備える帳票データ管理サーバと、画像読取装置２０−２に接続され、コード画像情報を識別するコード画像情報識別サーバと、帳票画像情報ファイル１０６ｂを備える帳票画像情報管理サーバとから構成されてもよい（図１参照）。なお、この場合、帳票画像情報管理サーバは、帳票画像情報ファイル１０６に証憑を取り込んだ後、帳票データ管理サーバに対し、証憑取込通知を送信することにより、帳票データファイル１０６ａと帳票画像情報ファイル１０６ｂとのデータを連携させる。
【００８３】
このほか、上記文献中や図面中で示した処理手順、制御手順、具体的名称、各処理の登録データや検索条件等のパラメータを含む情報、画面例、データベース構成については、特記する場合を除いて任意に変更することができる。
【００８４】
また、証憑管理装置１００に関して、図示の各構成要素は機能概念的なものであり、必ずしも物理的に図示の如く構成されていることを要しない。
【００８５】
例えば、証憑管理装置１００の各装置が備える処理機能、特に制御部１０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。尚、プログラムは、後述する記録媒体に記録されており、必要に応じて証憑管理装置１００に機械的に読み取られる。すなわち、ＲＯＭまたはＨＤなどの記憶部１０６などは、ＯＳ（Ｏｐｅｒａｔｉｎｇ  Ｓｙｓｔｅｍ）として協働してＣＰＵに命令を与え、各種処理を行うためのコンピュータプログラムが記録されている。このコンピュータプログラムは、ＲＡＭにロードされることによって実行され、ＣＰＵと協働して制御部１０２を構成する。
【００８６】
また、このコンピュータプログラムは、証憑管理装置１００に対して任意のネットワーク３００を介して接続されたアプリケーションプログラムサーバに記憶されていてもよく、必要に応じてその全部または一部をダウンロードすることも可能である。
【００８７】
また、本発明に係るプログラムを、コンピュータ読み取り可能な記録媒体に格納することもできる。ここで、この「記録媒体」とは、フレキシブルディスク、光磁気ディスク、ＲＯＭ、ＥＰＲＯＭ、ＥＥＰＲＯＭ、ＣＤ−ＲＯＭ、ＭＯ、ＤＶＤ等の任意の「可搬用の物理媒体」、あるいは、ＬＡＮ、ＷＡＮ、インターネットに代表されるネットワークを介してプログラムを送信する場合の通信回線や搬送波のように、短期にプログラムを保持する「通信媒体」を含むものとする。
【００８８】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【００８９】
記憶部１０６に格納される各種のデータベース等（帳票データファイル１０６ａおよび帳票画像情報ファイル１０６ｂ等）は、ＲＡＭ、ＲＯＭ等のメモリ装置、ハードディスク等の固定ディスク装置、フレキシブルディスク、光ディスク等のストレージ手段であり、各種処理やウェブサイト提供に用いる各種のプログラムやテーブルやデータベースや、帳票を作成するのに必要な帳票データや、帳票や証憑等を対応付けるのに必要なキーワード情報（例えば、固有識別情報、帳票番号等）などを格納する。
【００９０】
また、証憑管理装置１００は、既知のパーソナルコンピュータ、ワークステーション等の情報処理装置を接続し、該情報処理装置に本発明の方法を実現させるソフトウェア（プログラム、データ等を含む）を実装することにより実現してもよい。
【００９１】
更に、装置の分散・統合の具体的形態は図示するものに限られず、その全部または一部を、各種の付加等に応じて、または、機能負荷に応じて、任意の単位で機能的または物理的に分散・統合して構成することができる。
【産業上の利用可能性】
【００９２】
以上詳述に説明したように、本発明によれば、データ登録や検索時において、キーワードの誤入力を防止し、キーワードに基づいてデータ間の関連付けを自動化し、簡易に高精度で効率的にデータを一元管理でき、また、意図して付与したコード画像を正確に識別でき、また、認証済みのデータであるかを正確に判定することができる証憑管理装置および証憑管理方法を提供することができるので、会計伝票の証憑管理等の業務フローの効率化などを支援する情報機器や情報処理分野等の様々な分野において極めて有用である。
【図面の簡単な説明】
【００９３】
【図１】本発明の基本原理の一例を示す図である。
【図２】本発明が適用される本証憑管理装置１００の構成の一例を示すブロック図である。
【図３】キーワード情報のデータ構成の一例を示す図である。
【図４】コード画像情報の識別の一例を示す図である。
【図５】本実施の形態におけるデータ連携処理の一例を示すフローチャートである。
【図６】本実施の形態における情報検索処理の一例を示すフローチャートである。
【図７】本実施の形態における承認印認証処理の一例を示すフローチャートである。
【図８】本発明の実施例の一例を示す図である。
【符号の説明】
【００９４】
１００  証憑管理装置
１０２  制御部
１０２ａ  コード画像情報変換部
１０２ｂ  帳票画像情報印刷部
１０２ｃ  帳票画像情報ファイル格納部
１０２ｄ  書類セット読取部
１０２ｅ  コード画像情報識別部
１０２ｆ  書類セット格納部
１０２ｇ  情報検索部
１０２ｈ  承認印認証部
１０２ｉ  証憑取込通知部
１０４  通信制御インターフェース部
１０６  記憶部
１０６ａ  帳票データファイル
１０６ｂ  帳票画像情報ファイル
１０−１〜３  情報処理端末
２０−１      印刷装置
２０−２      画像読取装置
３００  ネットワーク
【図１】
0005324831.tif 000002
【図２】
0005324831.tif 000003
【図３】
0005324831.tif 000004
【図４】
0005324831.tif 000005
【図５】
0005324831.tif 000006
【図６】
0005324831.tif 000007
【図７】
0005324831.tif 000008
【図８】
0005324831.tif 000009